(57)【要約】      （修正有）【課題】折板屋根の軒先やケラバを、折板屋根材の係合形式の違いに係わらず、簡単かつ確実に補強できる構造の簡素化された補強具を提案する。【解決手段】溝部の底壁を形成する底板と、山部の頂壁を形成する山板とを備えた折板屋根材を幅方向に沿い横並び配列するとともに、それら折板屋根材の山板同士を相互に係合させることにより構築された折板屋根につき、その折板屋根の軒先やケラバを補強する補強具において、該補強具を、山板の裏面側で、該山板の幅方向に沿って配置される天面板３と、該天面板３の両端にそれぞれ片持ち状態で垂下保持され、側板の裏面側で、該側板の全体もしくは一部分でそれに沿って配置される垂下板４ａ、４ｂとを備えたもので構成する。そして、該垂下板４ａ、４ｂには、該側板の端縁から廻り込んで該側板の表面側に位置する舌片５ａ、５ｂを設ける。【選択図】図３
2019044377.tif 000002
【特許請求の範囲】
【請求項１】
溝部の底壁を形成する底板と、該底板につながり、該底板から立ち上がる側板と、該側板の上端部につながり、山部の頂壁を形成する山板とを備えた折板屋根材の複数枚をそれぞれ幅方向に沿い横並び配列するとともに、それら折板屋根材の山板同士を相互に係合させることにより構築された折板屋根につき、その折板屋根の軒先および／またはケラバを補強する補強具であって、
前記山板の裏面側で、該山板の幅方向に沿って配置される天面板と、該天面板の両端にそれぞれ片持ち状態で垂下保持され、前記側板の裏面側で、該側板の全体もしくは一部分でそれに沿って配置される垂下板とを備え、
該垂下板は、該側板の端縁から廻り込んで該側板の表面側に位置する舌片を有することを特徴とする折板屋根の補強具。
【請求項２】
前記舌片は、弾性的な変位が可能で、かつ、前記側板を前記垂下板との間にて挟持するクリップ片であることを特徴とする請求項１に記載した折板屋根の補強具。
【請求項３】
前記舌片は、その端部に、該側板の外表面から離れる向きに屈曲された屈曲部を有することを特徴とする請求項１または２に記載した折板屋根の補強具。
【請求項４】
前記天面板および前記垂下板は、一方の垂下片から他方の垂下片に向けて伸延する少なくとも一本のリブを有することを特徴とする請求項１〜３のいずれか１項に記載した折板屋根の補強具。
【請求項５】
前記垂下板および前記舌片は、相互において連通する少なくとも一つの貫通開孔をそれぞれ有することを特徴とする請求項１〜４のいずれか１項に記載した折板屋根の補強具。
【発明の詳細な説明】
【技術分野】
【０００１】
本発明は、工場や倉庫、大型店舗などの大面積の屋根において幅広く使用される折板屋根の、軒先やケラバを補強するのに好適な補強具に関するものである。
【背景技術】
【０００２】
折板屋根は、本来、鋼板コイルを素材として、これを製造工場および施行現場に設置されたロール成形機で所望の形状、長さに成形された屋根材を使用して葺きあげられるものであって、施工性、耐風圧強度、止水性を経済的に確保できる屋根として広く普及している。
【０００３】
折板屋根材は、具体的には、溝部の底壁を形成する底板と、該底板から立ち上がる側板と、該側板の上端部につながり、山部の頂壁を形成する山板とを備えたもので構成されており、該山板に設けられた上ハゼ、下ハゼの如き係合手段によって屋根材同士を相互につなぎ合わせる仕組みになっている。
【０００４】
ところで、この種の折板屋根は、暴風時には屋外の気圧が低下し上方へ膨らむ負圧荷重が作用する。通常のハゼ折板は隣接する山の中央で固定支持されており、側板および底板の外面への膨らみ変形が大きく、さらに先端部においては、はね出し状態で支持されているため、ハゼ締めされた接合部が変形し開いて飛散するおそれが大きくなる。
【０００５】
この点に関する先行技術として、例えば、特許文献１には、折板屋根の係合部に上から被さる包囲部と、該包囲部の両下端に形成される接地部と、該包囲部またはその近傍に形成あるいは備えられ、係合部に係止する係止手段とを有する折板屋根用補強金具が提案されている。
【先行技術文献】
【特許文献】
【０００６】
【特許文献１】特開２０００−３４５６６２号公報
【発明の概要】
【発明が解決しようとする課題】
【０００７】
しかしながら、上記特許文献１に開示された補強金具は、ハゼ部を左右で係止するものを前提としており、ハゼ形状が丸型に限定されることから適用範囲が狭い。また、補強金具は、折板屋根のハゼ部に面接触で支持される構造になっているものの、例えば、積雪時には、雪により補強金具が押されてしまい簡単に位置ずれを起してしまう不具合があるうえ、位置ずれを起した際に屋根材の外表面に施された塗膜を損傷させてしまうおそれがある。さらに、金具が複数部材にて構成されており、それそのもののコストの低減を図るにも限界があり、しかも、簡便な取り付け作業が実施できるとはいい難い。
【０００８】
本発明の目的は、折板屋根、とくに、その軒先やケラバを、折板屋根材の係合形式の違いに係わらず、簡単かつ確実に補強できる構造の簡素化された補強具を提案するところにある。
【課題を解決するための手段】
【０００９】
本発明は、溝部の底壁を形成する底板と、該底板につながり、該底板から立ち上がる側板と、該側板の上端部につながり、山部の頂壁を形成する山板とを備えた折板屋根材の複数枚をそれぞれ該折板屋根材の幅方向に沿い横並び配列するとともに、それら折板屋根材の山板同士を相互に係合させることにより構築される折板屋根につき、その折板屋根の軒先および／またはケラバを補強する補強具であって、
前記山板の裏面側で、該山板の幅方向に沿って配置される天面板と、該天面板の両端にそれぞれ片持ち状態で垂下保持され、前記側板の裏面側で、該側板の全体もしくは一部分でそれに沿って配置される垂下板とを備え、
該垂下板は、該側板の端縁から廻り込んで該側板の表面側に位置する舌片を有することを特徴とする折板屋根の補強具である。
【００１０】
上記の構成からなる補強具において、前記舌片は、弾性的な変位が可能で、かつ、前記側板を前記垂下板との間にて挟持するクリップ片であること、
また、前記舌片は、その端部に、該側板の外表面から離れる向きに屈曲された屈曲部を有すること、
前記天面板および前記垂下板は、一方の垂下片から他方の垂下片に向けて伸延する少なくとも一本のリブを有すること、
さらに、前記垂下板および前記舌片は、相互において連通する少なくとも一つの貫通開孔をそれぞれ有すること、が課題解決のための具体的手段として好ましい。
【発明の効果】
【００１１】
本発明の折板屋根の補強具は、折板屋根材の裏面側（内側）に配置されて該折板屋根を補強するので、折板屋根材の係合形式の違いに係わらず折板屋根の補強が可能となる。
【００１２】
また、本発明の折板屋根の補強具は、舌片のみが折板屋根の外表面に位置するだけなので補強金具が簡単に位置ずれを起すことがない。
【００１３】
また、本発明の折板屋根の補強具は、単一部材で構成されており、補強具の構造の簡素化が可能であるとともに取り付け作業を簡便に行い得る。
【図面の簡単な説明】
【００１４】
【図１】折板屋根を構築するのに用いて好適な折板屋根材の一例を模式的に示した外観斜視図である。
【図２】図１に示した折板屋根材を用いて折板屋根を構築した状態を部分的に示した図である。
【図３】本発明にしたがう折板屋根の補強具の実施の形態を模式的に示した外観斜視図である。
【図４】図３に示した折板屋根の補強具の正面を示した図である。
【図５】図３に示した折板屋根の補強具の平面図である。
【図６】図３に示した折板屋根の補強具の右側面図である。
【図７】図３に示した折板屋根の補強具の底面図である。
【図８】図３に示した折板屋根の補強具の背面図である。
【図９】図５のＡ−Ａ断面を示した図である。
【図１０】図６のＢ−Ｂ断面を示した図である。
【図１１】本発明にしたがう折板屋根の補強具の使用状況を示した図である。
【図１２】図１１の正面を示した図である。
【図１３】図１１の平面を示した図である。
【図１４】図１１の右側面を示した図である。
【図１５】本発明にしたがう折板屋根の補強具の固定要領の説明図である。
【図１６】折板屋根材の浮き上がり状況の説明図である。
【図１７】本発明にしたがう折板屋根の補強具を製造するのに適した板状体の平面形状を示した図である。
【図１８】発明にしたがう折板屋根の補強具の適用例を示した図である。
【図１９】本発明にしたがう折板屋根の補強具の適用例を示した図である。
【図２０】本発明にしたがう折板屋根の補強具の適用例を示した図である。
【図２１】本発明にしたがう折板屋根の補強具のケラバにおける適用例を示した図である。
【図２２】図２１の正面を示した図である。
【図２３】図２２の平面を示した図である。
【図２４】図２２の右側面を示した図である。
【図２５】ケラバ包み板のみをその正面について示した図である。
【発明を実施するための形態】
【００１５】
以下、図面を参照して本発明をより具体的に説明する。
図１は、折板屋根を構築するのに用いて好適な折板屋根材の一例を模式的に示した外観斜視図であり、図２は、図１に示した折板屋根材を屋根の下地材（既設鉄骨等）に設置されたタイトフレームに設置して折板屋根を構築した状態を部分的に示した図である。本発明では、補強具の説明を行う前に、折板屋根材とは、具体的にどのようなものであるかについてまず説明する。
【００１６】
図１、図２における符号１は、厚さ０．６〜１．０ｍｍからなる、例えば溶融亜鉛めっき鋼板やカラー鋼板等の防錆処理鋼板、あるいはステンレス鋼板、アルミニウム合金板、亜鉛板等を、ロール成形、プレス成形によって成形される定尺の折板屋根材である。
【００１７】
折板屋根材１は、矩形形状を有する平坦な板状体からなり、溝部の底壁を形成する底板１ａと、該底板１ａの幅方向の端部でその全長にわたって一体的につながり幅方向外方へ向けて角度をもって立ち上がる側板１ｂ、１ｃと、該側板１ｂ、１ｃの上端部に一体連結して山部の頂壁を形成する山板１ｄ、１ｅと、該山板１ｄ、１ｅに設けられた上ハゼ１ｆ、下ハゼ１ｇ（角ハゼ）とを備えたもので構成されている。
【００１８】
上記の折板屋根材１は、それらの複数枚を、図２に示すように、折板屋根材の固定用タイトフレーム２（波形形状をなす部材）の上に横並び状態で配列し、折板屋根材１の上ハゼ１ｆ、下ハゼ１ｇを、隣接配置される折板屋根材１との間で相互に巻き締めするとともに、吊子（図示せず）を介してタイトフレーム２に固定されるものであって、該折板屋根材１によって構築された折板屋根は、溝部（凹部）Ｍと山部（凸部）Ｙが交互に連なった波形形状を呈するものとなる。なお、図２は、二枚の折板屋根材１をつなぎ合わせた折板屋根の軒先を例として示している。
【００１９】
図３は、上記の折板屋根材１によって構築された折板屋根の補強に使用する、本発明にしたがう補強具の実施の形態を模式的に示した外観斜視図である。
【００２０】
また、図４は、図３に示した補強具の正面を示した図であり、図５は、図３に示した補強具の平面を示した図、図６は、図３に示した補強具の右側面を示した図、図７は、図３に示した補強具の底面を示した図、図８は、図３に示した補強具の背面を示した図である。さらに、図９は、図５のＡ−Ａ断面を示した図であり、図１０は、図６のＢ−Ｂ断面を示した図であり、図１１は、本発明にしたがう補強具を折板屋根の軒先に取り付けた状態を示した外観斜視図であり、図１２は、図１１の正面を示した図、図１３は、図１１の平面を示した図であり、図１４は、図１３の右側面を示した図である。
【００２１】
なお、本発明にしたがう折板屋根の補強具は、例えば厚さが２．５ｍｍ程度の薄鋼板にて構成されたものが用いられるが、その厚さや材質については適宜変更することができる。また、補強具は、基本的には、折板屋根の軒先の各山部あるいは屋根端部のケラバにそれぞれ取り付けることにより折板屋根の補強を行う。折板屋根は、既存の折板屋根、新築の折板屋根のいずれをも含むものとする。
【００２２】
図３〜１４における符号３は、山板１ｄ、１ｅの裏面側で、該山板１ｄ、１ｅの幅方向に沿って配置される天面板、４a、４ｂは、天面板３の両端にそれぞれ片持ち状態で垂下保持され、側板１ｂ、１ｃの裏面側で、該側板１ｂ、１ｃの上側部分（この例では全長の略１／３程度の領域）でそれに沿って配置される垂下板、５ａ、５ｂは、垂下板４ａ、４ｂに一体連結する舌片である。
【００２３】
舌片５ａ、５ｂは、側板１ｂ、１ｃの端縁から廻り込んで側板１ｂ、１ｃの表面側に位置するもので構成されており、好ましくは、弾性的な変位が可能で、かつ、側板１ｂ、１ｃを垂下板４ａ、４ｂとの間にて挟持するクリップ片とするのがよく、その端部には、側板１ｂ、１ｃの挟み込みを容易にするとともにすり疵の発生を防止するため、側板１ｂ、１ｃの外表面から離れる向きに屈曲された屈曲部５ａ１、５ｂ１が設けられている。なお、垂下板４ａ、４ｂの長さＬ（図４参照）は、側板１ｂ、１ｃの長さと同じ長さにできるが、垂下板４ａ、４ｂの長さＬが側板１ｂ、１ｃと同じ長さになると、補強具のサイズが大きくなり、また、重量も増すことになるので、側板１ｂ、１ｃの長さの１／３程度とするのが好ましい。
【００２４】
また，６は、一方の垂下板４ａから天面板３を経て他方の垂下板４ｂに向けて伸延するリブである。リブ６を設けることによって補強具そのものの剛性を高めることができる。リブ６は、補強具を所定の形状に成形したのち、プレス成形することによって形成される。その本数は、必要に応じて増減可能であり、図示のものに限定されることはない。なお、リブ６をプレス成形によって形成した場合、リブ６が形成された反対側の面には、該リブ６と同じサイズになる溝部が形成される。
【００２５】
また、符号７ａ、７ｂは、垂下板４ａ、４ｂに設けられた貫通開孔、８ａ、８ｂは、舌片５ａ、５ｂに設けられた貫通開孔である。貫通開孔７ａ、７ｂのうち貫通開孔７ａは、貫通開孔８ａに連通しており、貫通開孔７ｂは、貫通開孔８ｂに連通している。貫通開孔７ａ、８ａ、貫通開孔７ｂ、８ｂにそれぞれ側板１ｂ、１ｃを貫通するドリルネジをねじ込むことにより補強具は、折板屋根材に強固に固定される。貫通開孔７ａ、７ｂ、８ａ、８ｂを設けた場合にあっては、該貫通開孔７ａ、７ｂ、８ａ、８ｂの内側内で治具を用いて側板１ｂ、１ｃを図１５に示すように押し出し変形（カシメ）させてもよく、これによっても補強具を折板屋根材に固定することができる。
【００２６】
通常、この種の折板屋根では、強風時等において折板屋根材に負圧が作用した場合に、図１６に示すように、折板屋根材には、該折板屋根材が係合部（上ハゼ１ｆ、下ハゼ１ｇ）を起点にして回転する状況におかれることもあり、とくに折板屋根の軒先（折板屋根材が５００ｍｍ程度張り出している）やケラバにおいては屋根材が浮き上がり変形を起したり、折板屋根材の係合部分が解除される懸念があることは前述したとおりであるが、本発明にしたがう補強具は、折板屋根材の山部Ｙの裏側面で側板１ｂ、１ｃを押さえ込むようになっているため、負圧による影響を確実に防止することができる。
【００２７】
本発明にしたがう補強具は、図１７に示すような形状に切り出した板状体に曲げ加工を施すことによって製造される、単一部材からなるものであって、構造が簡素化されているだけでなく、取り付け作業もしやすい利点を有している。
【００２８】
リブ６は、板状体の曲げ加工を終えたのち、プレス成形を施すことによって成形されるが、例えば、棒状部材を溶接等によって接合してもよく、この点についてはとくに限定されない。
【００２９】
本発明にしたがう補強具は、上掲図１、２、図１１〜１４に示したような角ハゼを備えた折板屋根材のみならず、図１８に示すような丸ハゼ７を備えた折板屋根材、図１９に示すような、嵌合式のキャップ８を備えた折板屋根材あるいは図２０に示すような重ね合わせ部９を形成して屋根材を相互につなぎ合わせる折板屋根材への適用が可能であり、いずれの折板屋根材においても軒先やケラバを確実に補強できる。
【００３０】
図２１は、折板屋根のケラバにおける適用例を示した外観斜視図であり、図２２は、図２１の正面を示した図であり、図２３は、図２２の平面を示した図であり、図２４は、図２２の右側面を示した図であり、さらに、図２５は、ケラバ包み板のみをその正面について示した図である。
【００３１】
折板屋根の端部にあたるケラバでは、補強具の天面板３をケラバ包み板１０の外板部１０ａの内側まで延長するとともに、補強具の垂下板４ａ、４ｂのうちの垂下板４ａ（舌片５ａを含む）は、外板部１０ａと同様に垂直状態に変更される。なお、図２１において符号１０ｂは、外板部１０ａの上端につながるケラバ包み板１０の天板部、１０ｃは、天板部１０ｂにつながる内板部である。
【産業上の利用可能性】
【００３２】
本発明によれば、簡素化された構造からなり、簡便な作業のもとで折板屋根の軒先やケラバの補強が可能な補強具が提供できる。
【符号の説明】
【００３３】
１      折板屋根材
１ａ    底板
１ｂ、１ｃ    側板
１ｄ、１ｅ    山板
１ｆ    上ハゼ
１ｇ    下ハゼ
２      タイトフレーム
３      天面板
４ａ、４ｂ    垂下板
５ａ、５ｂ    舌片
６      リブ
７      丸ハゼ
８      キャップ
９      重ね合わせ部
１０    ケラバ包み板
１０ａ    外板部
１０ｂ    天板部
１０ｃ    内板部
Ｍ      溝部
Ｙ      山部
【図１】
2019044377.tif 000003
【図２】
2019044377.tif 000004
【図３】
2019044377.tif 000005
【図４】
2019044377.tif 000006
【図５】
2019044377.tif 000007
【図６】
2019044377.tif 000008
【図７】
2019044377.tif 000009
【図８】
2019044377.tif 000010
【図９】
2019044377.tif 000011
【図１０】
2019044377.tif 000012
【図１１】
2019044377.tif 000013
【図１２】
2019044377.tif 000014
【図１３】
2019044377.tif 000015
【図１４】
2019044377.tif 000016
【図１５】
2019044377.tif 000017
【図１６】
2019044377.tif 000018
【図１７】
2019044377.tif 000019
【図１８】
2019044377.tif 000020
【図１９】
2019044377.tif 000021
【図２０】
2019044377.tif 000022
【図２１】
2019044377.tif 000023
【図２２】
2019044377.tif 000024
【図２３】
2019044377.tif 000025
【図２４】
2019044377.tif 000026
【図２５】
2019044377.tif 000027